(57)【要約】【課題】カメラのコンパクト化に寄与し、デザインの自由度を向上できるカメラのレンズバリア装置を提供する。【解決手段】電源スイッチがオンの時には、第２コイルバネ２７は弛緩し、レンズバリア１２が第１コイルバネ２６の引っ張り力のみによって開き位置に維持されている。電源スイッチをオフにすると、ズームレンズが沈胴位置に収納された後、バリア駆動ギア５１が時計方向に回転し、ピン５２がバリア駆動レバー３０の他端部３０ｂを押し下げる。他端部３０ｂは一端部３０ａより軸３１寄りに位置しているから、バリア駆動ギア５１の少ない回転でも一端部３０ａが大きなストロークで第２コイルバネ２７を引っ張り、この引っ張り力が第１コイルバネ２６の引っ張り力を超えると、レンズバリア１２が開き位置から閉じ位置に向かって回動し、撮影用開口１１ａを閉じた後ストッパ５５，５６に当接して閉じ位置に停止する。この後、カメラ１０の電源がオフになる。【選択図】        図６
2005274719.tif 000002
【特許請求の範囲】
【請求項１】
レンズ鏡胴が出入りする開口を閉鎖する閉じ位置と前記開口を開放する開き位置との間で撮影光軸を横切るように回動自在に設けられたレンズバリアと、
このレンズバリアを閉じ位置から開き位置に向かって付勢する第１バネと、
この第１バネより強い力でレンズバリアを開き位置から閉じ位置に向かって付勢してレンズバリアを閉じ位置に維持するチャージ状態と弛緩して第１バネによるレンズバリアの開き位置を維持する弛緩状態とを有する第２バネと、
電源スイッチのオン／オフによって回動され、電源スイッチのオフ時には第２バネをチャージ状態にし、オフ時には第２バネを弛緩状態にする駆動レバーとからなり、
この駆動レバーの回動中心をレンズバリアの軌道外に配置したことを特徴とするカメラのレンズバリア装置。
【請求項２】
前記駆動レバーは、電源スイッチのオン／オフに連動して回動するバリア駆動ギアの突起に係合して回転するとともに、前記突起が駆動レバーに係合する作用点が第２バネの一端部が係止する点よりも駆動レバーの回動中心に近い位置に設定され、電源スイッチをオフにした際にレンズバリアが開き位置から閉じ位置に向かって回動されるストロークを拡大するようにしたことを特徴とする請求項１記載のカメラのレンズバリア装置。
【請求項３】
前記レンズバリアは、カメラの丸みを帯びた前カバーと、この前カバーの背後に設けられ、前カバーの丸みに沿って形成された湾曲面を有するガイド板との隙間で回動されることを特徴とする請求項１または２記載のカメラのレンズバリア装置。
【発明の詳細な説明】
【技術分野】
【０００１】
本発明は、カメラの撮影レンズを保護する閉じ位置と撮影可能に撮影レンズを開放する開き位置との間でレンズバリアを変位させるカメラのレンズバリア装置に関するものである。
【背景技術】
【０００２】
電源スイッチをオフにすると、自動的に撮影レンズを隠して、撮影レンズを保護するレンズバリア付きのカメラが周知である。レンズバリアを駆動するレンズバリア装置としては、緩衝機構を介してレンズバリアを駆動するものが知られている（例えば特許文献１）。緩衝機構は、ズームレンズの固定鏡筒の周りを回転するリングギアの回転運動を直線運動に変換してレンズバリアを駆動するとともに、外力を緩衝してレンズバリアの駆動系の損傷を防止する。
【０００３】
【特許文献１】特開２０００−１１１９７３号公報
【発明の開示】
【発明が解決しようとする課題】
【０００４】
上記特許文献１記載の緩衝機構は、レンズバリアの回転中心付近に設ける必要があるため、レンズバリアの回転中心付近（レンズ鏡筒の前端部近傍）に取付スペースを必要とする。このため、レンズ鏡筒の前端部のサイズが増加してカメラが大型化しやすく、カメラデザインの自由度も低くなるという問題がある。
【０００５】
本発明は、カメラのコンパクト化に寄与し、デザインの自由度を向上できるカメラのレンズバリア装置を提供することを目的とする。
【課題を解決するための手段】
【０００６】
本発明のカメラのレンズバリア装置は、レンズ鏡胴が出入りする開口を閉鎖する閉じ位置と前記開口を開放する開き位置との間で撮影光軸を横切るように回動自在に設けられたレンズバリアと、このレンズバリアを閉じ位置から開き位置に向かって付勢する第１バネと、この第１バネより強い力でレンズバリアを開き位置から閉じ位置に向かって付勢してレンズバリアを閉じ位置に維持するチャージ状態と弛緩して第１バネによるレンズバリアの開き位置を維持する弛緩状態とを有する第２バネと、電源スイッチのオン／オフによって回動され、電源スイッチのオフ時には第２バネをチャージ状態にし、オフ時には第２バネを弛緩状態にする駆動レバーとからなり、この駆動レバーの回動中心をレンズバリアの軌道外に配置したことを特徴とする。
【０００７】
また、前記駆動レバーは、電源スイッチのオン／オフに連動して回動するバリア駆動ギアの突起に係合して回転するとともに、前記突起が駆動レバーに係合する作用点が第２バネの一端部が係止する点よりも駆動レバーの回動中心に近い位置に設定され、電源スイッチをオフにした際にレンズバリアが開き位置から閉じ位置に向かって回動されるストロークを拡大するようにしたことを特徴とする。
【０００８】
また、前記レンズバリアは、カメラの丸みを帯びた前カバーと、この前カバーの背後に設けられ、前カバーの丸みに沿って形成された湾曲面を有するガイド板との隙間で回動されることを特徴とする。
【発明の効果】
【０００９】
本発明のカメラのレンズバリア装置は、駆動レバーにより一方のバネの付勢力を変動させることにより、レンズバリアの開閉を２個のバネで行うとともに、駆動レバーの回動中心をレンズバリアの軌道外に配置したので、レンズ鏡筒近傍に緩衝機構等のレンズバリア装置を設けることが不要となり、レンズ鏡筒周りのサイズをコンパクトにでき、カメラデザインの自由度を向上できる。
【００１０】
また、駆動レバーを回動する作用点をバネの一端部が係止する点よりも駆動レバーの回動中心寄りに設定したので、小さなストロークで大きくバネに付勢力を与えることができ、レンズバリアが開き位置から閉じ位置に向かって回動されるストロークを拡大できる。この結果、確実に撮影用の開口を閉じて撮影レンズを保護できる。
【００１１】
また、丸みを帯びた前カバーと、前カバーの丸みに沿って湾曲させたガイド板との隙間でレンズバリアを回動するので、丸みを帯びたユニークなデザインのカメラにレンズバリアを設けることができる。
【発明を実施するための最良の形態】
【００１２】
本発明のレンズバリア装置を搭載したカメラの外観を示す図１において、全体に丸みを帯びたカメラ１０の前カバー１１の中央には、円形の撮影用開口１１ａが設けられている。この撮影用開口１１ａは、カメラ１０の背面に設けられた電源スイッチ５をオフにしている状態では、インナー式のレンズバリア１２によって閉じられている。このレンズバリア１２は、前カバー１１の丸みに対応して緩やかな凸状をしている。
【００１３】
前記レンズバリア１２の奥には、撮影レンズであるズームレンズ１３が設けられている。また、撮影用開口１１ａの上方部には、ファインダ窓１４とストロボ発光部用の拡散板１５が設けられている。この拡散板１５の両サイドには、ＡＦ装置を構成する測距用窓１６，１７が設けられている。なお、符号４３は、撮影用開口１１ａから撮影可能に突出したズームレンズ１３の可動筒である。
【００１４】
カメラ１０の上部には、シャッタボタン１８が設けられている。また、カメラ１０の背面上方部には、ズームレンズ１３の焦点距離を変更する際に操作されるズームレバー１９が設けられている。また、カメラ１０の側部には、カートリッジ室の扉２０（図４参照）を開閉する際に回動操作されるノブ２１が設けられている。なお、カートリッジ室には、１３５タイプのフイルムパトローネよりも小型のカートリッジ本体内に写真フイルムを先端まで全て収めたＩＸ２４０タイプと呼ばれるフイルムカートリッジが装填される。
【００１５】
前カバー１１の裏面側を示す図２及び図３において、前記レンズバリア１２が、前カバー１１の背面１１ｂとガイド板２３との間に、軸２４を中心として回動自在に取り付けられている。ガイド板２３の表面２３ａは、図４に示すように、前カバー１１の丸みに合わせて湾曲して形成され、レンズバリア１２は前カバーと裏面とガイド板の表面２３ａとの隙間で旋回するように回動される。このため、レンズバリア１２と軸２４との間には遊びが設けられている。また、前記ガイド板２３の裏面２３ｂには、後述するバリア駆動レバー３０の回動範囲を規制するストッパ２５が形成されている。
【００１６】
レンズバリア１２は、撮影用開口１１ａを開閉する円板状部１２ａと、これに連設され、鉤状に屈曲されたアーム部１２ｂとからなる。前記円板状部１２ａは、前カバー１１の丸みに合わせて円形の中華鍋を薄くしたように湾曲している。そして、前記アーム部１２ｂには、第１コイルバネ２６，第２コイルバネ２７の各一端部が係止されている。
【００１７】
前記第１コイルバネ２６の他端部は、前カバー１１の背面１１ｂに形成されたボス２８に取り付けられており、第１コイルバネ２６は、図２に示すように、常にレンズバリア１２を撮影用開口１１ａを開放する開き位置に向かって引っ張っている。また、前記第２コイルバネ２７の他端部は、バリア駆動レバー３０の一端部３０ａに取り付けられている。このバリア駆動レバー３０は、軸３１を中心に回動自在に前カバー１１の背面１１ｂに取り付けられている。
【００１８】
本発明のレンズバリア装置は、前記レンズバリア１２，第１，第２コイルバネ２６，２７及びバリア駆動レバー３０から構成される。そして、バリア駆動レバー３０の軸３１は、ズームレンズ１３の鏡筒近傍ではなく、レンズバリア１２の軌道路Ｌからも外れているので、ズームレンズ１３周りをコンパクトにできるなど、カメラデザインの自由度を高めることができる。
【００１９】
前記第２コイルバネ２７は、レンズバリア１２が開き位置にある時には、バリア駆動レバー３０によって引っ張られておらず、フリー状態となっている。これにより、レンズバリア１２のアーム部１２ｂには、第１コイルバネ２６の引っ張り力のみが作用し、レンズバリア１２は、反時計方向に回動されるように付勢され、撮影用開口１１ａが開放された状態が維持される。
【００２０】
図３に示すように、レンズバリア１２が撮影用開口１１ａを遮蔽する閉じ位置にある時には、第２コイルバネ２７は、バリア駆動レバー３０によって引っ張られ、その引っ張り力が第１コイルバネ２６より強くなっているから、レンズバリア１２は、時計方向に回動されるように付勢され、撮影用開口１１ａが閉じられた状態が維持される。なお、第２コイルバネ２７は、第１コイルバネ２６より太い材料（ピアノ線等）で形成されており、バリア駆動レバー３０によって引っ張られてチャージされると、第１コイルバネ２６より強い付勢力を発揮する。
【００２１】
カメラ１０から前カバー１１を取り外した状態を示す図５及び図６において、カメラ本体３５の前面のほぼ中央部には、ズームレンズ１３の固定鏡筒４０が取り付けられ、この上方部にズームファインダ４１，ストロボ発光部４２が取り付けられている。
【００２２】
固定鏡筒４０の下方部には、駆動モータ４４と、この駆動モータ４４の回転速度を減速するギアトレイン４５が設けられている。このギアトレイン４５の始端ギア４５ａは、駆動モータ４４のピニオンギア４６に噛合し、終端ギア４５ａは、固定鏡筒４０の周りに回動自在に設けられたリングギア４７に噛合している。
【００２３】
リングギア４７には、終端ギア４５ａの他、２個のギア４８，４９が噛合している。ギア４８は、リングギア４７の回転をズームファインダ４１に伝達して、ズームファインダ４１のファインダ視野をズームレンズ１３の焦点距離に対応したものに変更する。また、ギア４９は、ギア５０を介して、リングギア４７の回転をバリア駆動ギア５１に伝達する。
【００２４】
前記バリア駆動ギア５１の片面には、ピン５２が立設されている。このピン５２は、前カバー１１をカメラ本体３５に取り付けることにより、前記バリア駆動レバー３０の他端部３０ｂと係合可能となる。なお、符号５５，５６は、ガイド板２３の表面２３ａに立設されたストッパであり、レンズバリア１２の閉じ位置で円板状部１２ａが当接し、レンズバリア１２を閉じ位置に停止させる。
【００２５】
次に、上記実施形態の作用について説明する。カメラ１０に電源を投入する以前は、ズームレンズ１３は沈胴位置にあり、図１の実線に示すように、レンズバリア１２によって撮影用開口１１ａが閉じられている。この時、図３及び図６に示すように、ピン５２がバリア駆動レバー３０の他端部３０ｂを押し下げることにより一端部３０ａを押し上げ、第２コイルバネ２７が引っ張られている。
【００２６】
前記第２コイルバネ２７がレンズバリア１２のアーム部１２ｂを引っ張る力は、第１コイルバネ２６がアーム部１２ｂを引っ張る力よりも強いから、レンズバリア１２は閉じ位置に停止している。なお、第２コイルバネ２７によってバリア駆動レバー３０が強く引っ張られているが、減速ギアであるギアトレイン４５等の作用によって駆動モータ４４が逆回転することはなく、したがってバリア駆動ギア５１が逆回転することはない。
【００２７】
電源スイッチ５をオンにすると、カメラ１０に内蔵されたＣＰＵが所定の撮影準備シーケンスを実行する。駆動モータ４４が回転してギアトレイン４５，リングギア４７等のギアを介してバリア駆動ギア５１が反時計方向に（図６の図面上で）回動する。これにより、ピン５２が反時計方向に回動し、ピン５２による他端部３０ｂの押下げが解除されるから、バリア駆動レバー３０は第２コイルバネ２７０に引っ張られて反時計方向に回動する。
【００２８】
第２コイルバネ２７０が弛緩してゆくにつれて、第１コイルバネ２６がレンズバリア１２のアーム部１２ｂを引っ張る力の方が、第２コイルバネ２７０がアーム部１２ｂを引っ張る力よりも強くなるから、レンズバリア１２は時計方向に（図５，図６の図面上で）回動して撮影用開口１１ａを開いてゆく。
【００２９】
撮影用開口１１ａが開いてゆき、その途中以降は第２コイルバネ２７０が完全に弛緩して、レンズバリア１２のアーム部１２ｂは、第１コイルバネ２６のみによって引っ張られるようになる。図２及び図５に示すように、撮影用開口１１ａが完全に開放されると、レンズバリア１２が前カバー１１の縁部１１ｂに当接して停止される（図２参照）。また、第２コイルバネ２７に引っ張られたバリア駆動レバー３０は勢い余ってストッパ２５に一旦当接するが、わずかに戻ってストッパ２５から離間した位置に停止する（図５参照）。
【００３０】
撮影用開口１１ａが完全に開放されると、ズームレンズ１３の可動筒４３が撮影用開口１１ａから突出してきて、撮影準備が完了する。この状態では、ズームレンズ１３は最も広角（ワイド端）になっている。ズームレバー１９を左右に動かすことにより、ズームレンズ１３のズーミングを行うことができる。このズーミング中にバリア駆動ギア５１が回動し、ピン５２が回動するが、このズーミング中には、ピン５２とバリア駆動レバー３０とは係合しないから、レンズバリア１２は開き位置に停止したままである。
【００３１】
撮影が終了したら、電源スイッチ５をオフにする。この電源スイッチ５のオフ操作により、ＣＰＵは駆動モータ４４を駆動してズームレンズ１３を望遠側からワイド端にズーミングした後、更に可動筒４３を沈胴位置に収納する。引き続いて、駆動モータ４４はバリア駆動ギア５１を時計方向に（図５の図面上で）回転させ、ピン５２がバリア駆動レバー３０の他端部３０ｂを押し下げる。
【００３２】
バリア駆動レバー３０が時計方向に回動し、一端部３０ａが第２コイルバネ２７を引っ張ってゆく。バリア駆動レバー３０の軸３１が一端部３０ａよりも他端部３０ｂ寄りにあるため、バリア駆動ギア５１の少ない回転でも大きなストロークで第２コイルバネ２７が引っ張られる。
【００３３】
第２コイルバネ２７が引っ張られるつれて、第２コイルバネ２７がレンズバリア１２のアーム部１２ｂを引っ張る力が増大し、ついに第１コイルバネ２６の引っ張り力を超えると、レンズバリア１２は開き位置から閉じ位置に向かって回動する。レンズバリア１２が撮影用開口１１ａを閉じた後（図３及び図６参照）、ストッパ５５，５６（図６参照）に当接して閉じ位置に停止する。この後、カメラ１０の電源がオフにされる。
【００３４】
レンズバリア１２が開き位置から閉じ位置へ回動している最中に、ユーザが誤って撮影用開口１１ａの中に指を突っ込んでしまった場合には、撮影用開口１１ａの縁とレンズバリア１２との間にユーザの指が挟まれることになるが、レンズバリア１２の回動は２個のコイルバネ２６，２７によって行われているので、指を痛めることがない。また、レンズバリア１２が指に当たってレンズバリア１２の回動が阻止されても、そのショックはコイルバネ２６，２７によって吸収されるので、バリア駆動レバー３０やバリア駆動ギア５１等のバリア駆動系に損傷を与えるおそれがない。
【００３５】
以上説明した実施形態では、撮影レンズとしてズームレンズを用いたが、本発明はこれに限定されることなく、例えば単焦点レンズでもよい。また、上記実施形態では、ＩＸ２４０タイプのフイルムカートリッジを用いるアドバンストフォトシステムに準拠したカメラに適用したものであったが、本発明はこれに限定されることなく、例えばデジタルカメラに適用することもできる。
【図面の簡単な説明】
【００３６】
【図１】本発明のレンズバリア装置を組み込んだカメラの外観を示す斜視図である。
【図２】レンズバリアが開き位置にある前カバーの裏面側の構成を示す説明図である。
【図３】レンズバリアが閉じ位置にある前カバーの裏面側の構成を示す説明図である。
【図４】レンズバリアとガイド板をカメラの側方から示す説明図である。
【図５】レンズバリアが開き位置にあるレンズバリア装置をカメラ本体の前面側から示す説明図である。
【図６】レンズバリアが閉じ位置にあるレンズバリア装置をカメラ本体の前面側から示す説明図である。
【符号の説明】
【００３７】
５  電源スイッチ
１０  カメラ
１１  前カバー
１２  レンズバリア
１３  ズームレンズ
２３  ガイド板
２５，５５，５６  ストッパ
２６  第１コイルバネ
２７  第２コイルバネ
３０  バリア駆動レバー
３１  軸
４４  駆動モータ
５１  バリア駆動ギア
Ｌ  軌道路
【図１】
2005274719.tif 000003
【図２】
2005274719.tif 000004
【図３】
2005274719.tif 000005
【図４】
2005274719.tif 000006
【図５】
2005274719.tif 000007
【図６】
2005274719.tif 000008